(57)【特許請求の範囲】
【請求項１】
浴室内の空気を循環させるための循環ファンと、該循環ファンで循環させる空気を暖める加温部と、少なくとも前記浴室内の空気を外部に排出させるための換気ファンと、前記浴室の空気を吸い込む吸込口に装着されるフィルタと、前記循環ファン、前記加温部及び前記換気ファンの駆動の組合せによって複数の駆動モードを実施する制御部と、前記フィルタのメンテナンスの旨を報知する報知部と、を有し、前記制御部は、前記浴室内が負圧状態となる駆動モードで動作している間、駆動時間の積算を実施し、前記報知部は、積算した前記駆動時間が所定時間を超えると報知することを特徴とする浴室暖房乾燥機。
【請求項２】
前記換気ファンを駆動状態とする第１換気モードと、前記循環ファン、前記換気ファン及び前記加温部を駆動状態とする乾燥モードと、前記循環ファン、前記換気ファンを駆動状態とする涼風モードと、前記換気ファンを前記第１換気モードよりも長期間駆動状態とする第２換気モードとを有し、前記制御部は、前記第１換気モード、前記乾燥モード、前記涼風モード及び前記第２換気モードにおいて駆動時間の積算を実施することを特徴とする請求項１に記載の浴室暖房乾燥機。
【請求項３】
前記制御部は、前記吸込口に装着される前記フィルタの種類によって前記報知部による報知する前記所定時間を変更することを特徴とする請求項１又は２に記載の浴室暖房乾燥機。
【発明の詳細な説明】
【技術分野】
【０００１】
本発明は、浴室暖房乾燥機に関する。
【背景技術】
【０００２】
家庭用の浴室の天井面等に設置される家庭用の浴室暖房乾燥機は、本体ケース内に浴室内の空気を温める加温部（熱交換器）が備えられる（例えば、特許文献１参照）。特許文献１の浴室暖房乾燥機では、浴室内の空気を循環させる循環ファンと、浴室内の空気を外部に流出させる換気ファンとを備え、前記加温部との駆動の組み合わせによって複数の駆動モードを有している。
【０００３】
このような浴室暖房乾燥機では、浴室内の空気を吸い込むための吸込口にフィルタが着脱可能に設けられている（例えば、特許文献２参照）。このような構成により、浴室内の塵埃を除去することが可能となる。
【先行技術文献】
【特許文献】
【０００４】
【特許文献１】特開２０１４−１０５９７９号公報
【特許文献２】特開２００２−１０２５９６号公報
【発明の概要】
【発明が解決しようとする課題】
【０００５】
ところで、上記のような浴室暖房乾燥機では、循環ファンや換気ファンを駆動させることでフィルタにおいて塵埃を除去することが可能であるが、駆動時間の経過に伴って目詰まりが生じる虞がある。このため、例えば目詰まりによるメンテナンス時期の報知を行う必要が生じる。そこで、例えば浴室暖房乾燥機（換気ファン及び循環ファン）の駆動時間を積算し、その積算した時間が所定時間を超えた場合に使用者に対いてメンテナンス時期として報知を行うことが考えられる。
【０００６】
しかしながら、浴室暖房乾燥機では、前述したように複数の駆動モードを有しており、その駆動モードによってフィルタに塵埃が付着する量が異なるため、単純な駆動時間の積算では、正確にフィルタのメンテナンス時期を報知することができない虞がある。
【０００７】
本発明は、上記課題を解決するためになされたものであって、その目的は、より正確にフィルタのメンテナンス時期を報知することができる浴室暖房乾燥機を提供することにある。
【課題を解決するための手段】
【０００８】
上記課題を解決するために、浴室暖房乾燥機は、浴室内の空気を循環させるための循環ファンと、該循環ファンで循環させる空気を暖める加温部と、少なくとも前記浴室内の空気を外部に排出させるための換気ファンと、前記浴室の空気を吸い込む吸込口に装着されるフィルタと、前記循環ファン、前記加温部及び前記換気ファンの駆動の組合せによって複数の駆動モードを実施する制御部と、前記フィルタのメンテナンスの旨を報知する報知部と、を有し、前記制御部は、前記浴室内が負圧状態となる駆動モードで動作している間、駆動時間の積算を実施し、前記報知部は、積算した前記駆動時間が所定時間を超えると報知する。
【発明の効果】
【０００９】
本発明の浴室暖房乾燥機によれば、より正確にフィルタのメンテナンス時期を報知することができる。
【図面の簡単な説明】
【００１０】
【図１】一実施形態における浴室暖房乾燥機を備えた浴室の斜視図である。
【図２】同上における浴室暖房乾燥機の斜視図である。
【図３】同上における浴室暖房乾燥機の概略構成を説明するための説明図である。
【図４】同上における浴室暖房乾燥機の電気的構成を説明するためのブロック図である。
【図５】同上における浴室暖房乾燥機の操作部の正面図である。
【発明を実施するための形態】
【００１１】
以下、浴室暖房乾燥機の一実施形態を図面に従って説明する。
【００１２】
図１に示すように、本実施形態の浴室暖房乾燥機１０は、本体部１１と、本体部１１と接続されて換気を行う換気部３１とを有する。
【００１３】
図１に示すように本体部１１は、浴室Ｂ内の天井面に設けられている。本体部１１には、温水器Ｃ（図３参照）から温水が循環往路管１２ａを介して供給されるとともに、循環復路管１２ｂを介して温水器Ｃ内に戻るようになっている。
【００１４】
図２及び図３に示すように、本体部１１は、略有底四角箱状の本体ケース１２の下方にフロントパネル１３が取着されている。そして、本体部１１は、浴室Ｂ内にフロントパネル１３を露出させた状態で、本体ケース１２が浴室Ｂの天井裏に設置されている。
【００１５】
フロントパネル１３は、浴室Ｂ内の空気を吸い込む吸込口１３ａと、本体部１１で温められた空気を浴室Ｂ内に送り出す送気口１３ｂとを有する。送気口１３ｂは、アクチュエータ（図示略）によって温められた空気を送り出す方向を所定範囲内で調整可能なルーバーである。吸込口１３ａには、フィルタ１３ｃが着脱可能に装着されている。フィルタ１３ｃは浴室Ｂ内に流入した塵埃を除去するためのものである。
【００１６】
図３に示すように、本体ケース１２内には、加温部としての熱交換器１４と、循環ファン１５とが備えられる。
【００１７】
図３に示すように、熱交換器１４は、吸込口１３ａの上方に設置され、前記温水器Ｃから供給される温水が循環する熱交換用コイル１４ａが上下方向に複数層に亘って往復方向に屈曲されて配設されている。熱交換用コイル１４ａには、一端部側から循環往路管１２ａを介して温水器Ｃから供給される温水が流入し、他端部側から循環復路管１２ｂを介して温水器Ｃ側に戻るようになっている。
【００１８】
図３及び図４に示すように、循環ファン１５は、循環用モータ１６によって回転駆動される。循環用モータ１６が回転駆動することで循環ファン１５が駆動し、これに伴って吸込口１３ａから空気が吸い込まれ、送気口１３ｂから空気が浴室Ｂ内に送り出されることとなる。
【００１９】
また、循環往路管１２ａと、熱交換器１４（熱交換用コイル１４ａ）との間の流路中に熱動弁１７が設けられる。熱動弁１７は、例えば制御部１８（図４参照）によって開度が調整、即ち流量が調整される。
【００２０】
また、本体ケース１２内にはコイル温度センサ１９が設けられる。コイル温度センサ１９は、熱動弁１７と熱交換器１４との間の流路内の温水の温度を計測することで熱交換器１４（熱交換用コイル１４ａ）の概ねの温度が測定（推定）可能となっている。
【００２１】
また、本体ケース１２内には吸込温度センサ２０が設けられる。吸込温度センサ２０は、吸込口１３ａの近傍且つ下流に設けられ、吸込口１３ａで吸い込まれた空気の温度を計測する。吸込温度センサ２０としては、測温抵抗体やサーミスタなどを採用することができる。
【００２２】
本体部１１は、流路の切換を行うダンパ２１を有する。ダンパ２１は、本体部１１と換気部３１との間の流路の開閉を行うものである。即ち、ダンパ２１を閉状態とすることで本体部１１と換気部３１との間の流路が閉鎖されて本体部１１から換気部３１側への空気の流出が遮断される。また、ダンパ２１を開状態とすることで本体部１１と換気部３１との間の流路が開放されて本体部１１から換気部３１側への空気の流出が可能な状態とされる。
【００２３】
図３に示すように換気部３１は、換気ケース３２内に換気ファン３３が収容される。換気ケース３２は、本体ケース１２に対して取り付けられる。そして、換気ケース３２は、前記ダンパ２１が開状態である場合に本体部１１側から浴室Ｂ内の空気が流入可能となっている。また、換気部３１は、脱衣室Ｕ内の空気及びトイレＴ内の空気を吸い込み可能となっている。このため、本実施形態の浴室暖房乾燥機１０は、浴室Ｂ、脱衣室Ｕ、及びトイレＴの３室換気が可能となっている。
【００２４】
図３及び図４に示すように、換気ケース３２内に収容される換気ファン３３は、換気用モータ３４によって回転駆動される。即ち、換気用モータ３４が駆動されることで換気ファン３３が駆動し、浴室Ｂ、脱衣室Ｕ及びトイレＴの換気が実施される。ここで、浴室Ｂと脱衣室Ｕとの間のドアＤには、下部に開口部Ｄ１が形成されている。このため、換気ファン３３が駆動することで負圧状態となるため、浴室Ｂ内に開口部Ｄ１から脱衣室Ｕの空気が流入することとなる。
【００２５】
本実施形態の浴室暖房乾燥機１０では、循環ファン１５、換気ファン３３、熱交換器１４（熱動弁１７）の駆動の組み合わせによって複数のモードを有している。
【００２６】
より具体的には、図４に示すようにメモリ２２内に暖房モード、換気モード、乾燥モード、涼風モード、２４時間換気モードの５つの駆動モードの情報が予め記憶されており、制御部１８では、メモリ２２内に記憶された駆動モードの情報に基づいて循環ファン１５、換気ファン３３、熱交換器１４（熱動弁１７）を制御するようになっている。
【００２７】
ここで、各駆動モードについて以下に説明する。
【００２８】
［暖房モード］
暖房モードでは、循環ファン１５を駆動させるとともに、熱動弁１７を制御して熱交換器１４によって取り込んだ空気を温める制御を行う。このとき、ダンパ２１は閉鎖状態であって、換気ファン３３は非駆動（停止）状態である。換気ファン３３は駆動されないため浴室Ｂ内は負圧状態とならない。
【００２９】
［換気モード］
換気モードでは、ダンパ２１を開放状態として換気ファン３３を駆動させる制御を行う。このとき、循環ファンを駆動させず、熱動弁１７を閉じた状態として熱交換器１４による空気の加温は行わない。ちなみに、本換気モードが第１換気モードに相当する。換気ファン３３が駆動されるため浴室Ｂ内は負圧状態となる。
【００３０】
［乾燥モード］
乾燥モードでは、循環ファン１５と換気ファン３３とを駆動させ、熱動弁を制御して熱交換器によって取り込んだ空気を温める制御を行う。このとき、ダンパ２１は開放状態とする。換気ファン３３が駆動されるため浴室Ｂ内は負圧状態となる。
【００３１】
［涼風モード］
涼風モードでは、ダンパ２１を開放状態として循環ファン１５と換気ファン３３とを駆動させる制御を行う。換気ファン３３が駆動されるため浴室Ｂ内は負圧状態となる。
【００３２】
［２４時間換気モード］
２４時間換気モードでは、ダンパ２１を開放状態として換気ファン３３のみを駆動させる。ちなみに、２４時間換気モードが第２換気モードに相当する。換気ファン３３が駆動されるため浴室Ｂ内は負圧状態となる。
【００３３】
上記のように設定された各駆動モードは、使用者が操作可能な操作部４１によって選択可能となっている。
【００３４】
図４及び図５に示すように、操作部４１は、浴室外であって例えば脱衣室Ｕに設けられる。操作部４１は、種々の駆動スイッチ４２と、浴室暖房乾燥機１０の駆動状態などが示される液晶表示部４３と、報知部４４とを有する。
【００３５】
図５に示すように、駆動スイッチ４２は、暖房モードを実行させるための暖房スイッチ４２ａと、換気モードを実行させるための換気スイッチ４２ｂと、乾燥モードを実行させるための乾燥スイッチ４２ｃと、涼風モードを実行させるための涼風スイッチ４２ｄと、２４時間換気モードを実行させるための２４時間換気スイッチ４２ｅとを有する。また、駆動スイッチ４２としては、前記送気口１３ｂの向きを変更するための風向スイッチ４２ｆと、前記各駆動モードを途中で停止させる停止スイッチ４２ｇとを有する。
【００３６】
報知部４４は、単一の光源であり、例えばフィルタ１３ｃがメンテナンス時期になった際に、その旨を使用者に報知するためのものである。
【００３７】
次に、本実施形態の浴室暖房乾燥機１０の電気的構成（電気的接続）を説明する。
【００３８】
図４に示すように、浴室暖房乾燥機１０の制御部１８には、熱交換器１４、熱動弁１７、コイル温度センサ１９、吸込温度センサ２０、ダンパ２１、循環用モータ１６及び換気用モータ３４が電気的に接続される。制御部１８は、各種センサ１９，２０に基づいて熱動弁１７及び熱交換器１４の駆動制御などを行う。
【００３９】
また、制御部１８は、メモリ２２とタイマ２３とが電気的に接続される。メモリ２２には、前述したように各駆動モードの情報が予め記憶されている。タイマ２３は、計時を行うものであり、負圧状態となる駆動モード（換気モード、乾燥モード、涼風モード、２４時間換気モード）で駆動している際の時間を計測するために用いる。
【００４０】
また、制御部１８は、操作部４１と接続されている。このため、制御部１８は、負圧状態となる駆動モードで動作させた駆動時間が所定時間を超えた場合に、報知部４４を点灯させる。
【００４１】
上記のように構成された浴室暖房乾燥機１０の作用を説明する。
【００４２】
本実施形態の浴室暖房乾燥機１０では、操作部４１の駆動スイッチ４２が操作に基づいて制御部１８による各種駆動制御が実施される。このとき、制御部１８は、負圧状態となる駆動モード（換気モード、乾燥モード、涼風モード、２４時間換気モード）で駆動中において、タイマ２３を動作させて駆動時間を積算する。これらの駆動時間はメモリ２２内に記憶させておき、制御部１８では負圧状態となる駆動モードで駆動されるたびにメモリ２２内に記憶されている駆動時間に積算を行うようになっている。制御部１８は、暖房モードで駆動中において、換気ファン３３が駆動されていないため、負圧状態とならず駆動時間の積算を行わない。
【００４３】
次に、本実施形態の効果を記載する。
【００４４】
（１）制御部１８は、浴室Ｂ内が負圧状態となる駆動モードで動作している間、駆動時間の積算を実施し、報知部４４は、積算した駆動時間が所定時間を超えるとその旨を報知する。ここで、負圧状態となる駆動モードの場合では、ドアＤの開口部Ｄ１から塵埃を含む空気が流入することとなり、フィルタ１３ｃの目詰まりの要因となる。このため、負圧状態となる駆動モードのみ駆動時間の積算を実施することで、ドアＤの開口部Ｄ１から塵埃を含む空気が流入することを想定したフィルタ１３ｃの適切なメンテナンス時期を報知することが可能となる。
【００４５】
（２）制御部１８は、換気ファン３３が駆動する第１換気モードである換気モード、乾燥モード、涼風モード及び第２換気モードである２４時間換気モードにおいて駆動時間の積算を実施する。これにより、負圧状態となる駆動モードのみ駆動時間の積算を実施することで、ドアＤの開口部Ｄ１から塵埃を含む空気が流入することを想定したフィルタ１３ｃの適切なメンテナンス時期を報知することが可能となる。
【００４６】
なお、上記実施形態は、以下のように変更してもよい。
【００４７】
・上記実施形態では、換気モード、乾燥モード、涼風モード及び２４時間換気モードにおいて、駆動時間の積算を実施する構成としたが、いずれかのモードを省略した場合には駆動時間の積算も実施しない。
【００４８】
・上記実施形態では特に言及していないが、例えば吸込口１３ａに装着される前記フィルタ１３ｃの種類によって報知部４４による報知する前記所定時間を変更するような構成を採用してもよい。すなわち、フィルタ１３ｃの種類によって目詰まりとなるまでの時間が異なるため、フィルタ１３ｃの種類で前記所定時間を変更することで、フィルタ１３ｃの適切なメンテナンス時期を報知することが可能となる。
【００４９】
・上記実施形態では、報知部４４を操作部４１に設ける構成としたが、本体部１１に報知部４４を設ける構成を採用してもよい。
【００５０】
・上記実施形態では、報知部４４として点灯によって報知する構成としたが、これに限らない。例えば液晶表示部４３に表示したり、音などによって報知を行う構成を採用してもよい。
【００５１】
・上記実施形態では、換気部３１と本体部１１とを隣接させる構成としたが、これに限らない。例えば、本体部１１と換気部３１とをダクトで接続する構成を採用してもよい。
【００５２】
・上記実施形態では、換気部３１を設ける構成としたが、換気部３１を省略する構成を採用してもよい。
【００５３】
・上記実施形態では特に言及していないが、例えば、浴室内にミスト噴霧を行うミスト噴霧装置を備えた構成を採用してもよい。なお、ミスト噴霧の方法やその温度は仕様等によって変更されるものであってもよい。
【００５４】
・上記実施形態では、１つの熱交換器１４を設ける構成としたが、その数は適宜変更してもよい。特に、上記変形例のようにミストを噴霧する構成の場合には、１つの熱交換器のみではミストの温度が所定値まで高めても送気口１３ｂから送り出される際には温度が低下する可能性があるため、複数の熱交換器を設ける意義は大きい。特に、送気口１３ｂの近傍に設けることで、ミストの温度を所定値まで高めた状態で送気口１３ｂから送り出すことが可能である。
【００５５】
・上記実施形態並びに各変形例は適宜組み合わせてもよい。
【００５６】
次に、上記実施形態及び別例から把握できる技術的思想を以下に付記として追記する。
【００５７】
（付記１）浴室内の空気を循環させるための循環ファンと、該循環ファンで循環させる空気を暖める加温部と、少なくとも前記浴室内の空気を外部に排出させるための換気ファンと、前記浴室の空気を吸い込む吸込口に装着されるフィルタと、前記循環ファン、前記加温部及び前記換気ファンの駆動の組合せによって複数の駆動モードを実施する制御部と、前記フィルタのメンテナンスの旨を報知する報知部と、を有し、
前記制御部は、前記浴室内が負圧状態となる駆動モードで動作している間、駆動時間の積算を実施し、
前記報知部は、積算した前記駆動時間が所定時間を超えると報知することを特徴とする浴室暖房乾燥機。
【００５８】
（付記２）前記換気ファンを駆動状態とする第１換気モードと、前記循環ファン、前記換気ファン及び前記加温部を駆動状態とする乾燥モードと、前記循環ファン、前記換気ファンを駆動状態とする涼風モードと、前記換気ファンを前記第１換気モードよりも長期間駆動状態とする第２換気モードとを有し、
前記制御部は、前記第１換気モード、前記乾燥モード、前記涼風モード及び前記第２換気モードにおいて駆動時間の積算を実施することを特徴とする付記１に記載の浴室暖房乾燥機。
【００５９】
（付記３）前記制御部は、前記吸込口に装着される前記フィルタの種類によって前記報知部による報知する前記所定時間を変更することを特徴とする付記１又は２に記載の浴室暖房乾燥機。
【産業上の利用可能性】
【００６０】
以上のように、本発明にかかる浴室暖房乾燥機は、負圧状態となる駆動モードで動作している間、駆動時間の積算を実施するため室内にて換気を行う換気装置においても適用可能である。
【符号の説明】
【００６１】
１０    浴室暖房乾燥機
１３ａ  吸込口
１３ｃ  フィルタ
１４    熱交換器（加温部）
１５    循環ファン
１８    制御部
３３    換気ファン
４４    報知部
【図１】
0006572432.tif 000002
【図２】
0006572432.tif 000003
【図３】
0006572432.tif 000004
【図４】
0006572432.tif 000005
【図５】
0006572432.tif 000006